(57)【要約】【課題】システムに異常事態が発生しても、参列者を長時間待たせることなく参拝を行うことを可能とする自動搬送式納骨システムを提供する。【解決手段】本発明の自動搬送式納骨システムは、墓石１０、参拝ブース１２、参拝受付機、納骨箱１６、納骨箱格納部、納骨箱自動搬送機構、総合管理部、異常事態検出部、ディスプレイ１９を備えた緊急用納骨箱１８およびカバー手段を備える。総合管理部が、異常事態検出部により検出された、納骨箱自動搬送機構の異常を示す異常事態発生信号を受信すると、カバー手段により墓石を遮蔽し、納骨箱１６の前面に表記されている情報をディスプレイ１９に表示させ、緊急用納骨箱１８を、緊急用納骨箱の前面が墓石の開口１１に露出するように配置し、その後、カバー手段による遮蔽を解除する。【選択図】図６
2018059350.tif 000002
【特許請求の範囲】
【請求項１】
参拝者が参拝する墓石が設けられている参拝ブース、
故人または亡くなったペットについての情報を入力するための参拝受付機、
前記故人または前記亡くなったペットの遺骨を収納する納骨箱、
前記納骨箱を格納する納骨箱格納部、
前記参拝受付機により入力された前記故人または前記亡くなったペットの前記納骨箱を、前記納骨箱格納部から前記墓石まで搬送する納骨箱自動搬送機構、
システムの動作を管理する総合管理部、
前記納骨箱自動搬送機構の異常事態を検出する異常事態検出部、
ディスプレイをその前面に備えかつ前記納骨箱と同一形状の緊急用納骨箱、および
前記墓石を遮蔽することが可能なカバー手段、
を備える自動搬送式納骨システムであって、
前記墓石が、前記納骨箱が配置される開口を有し、
前記異常事態検出部が前記納骨箱自動搬送機構に異常事態が発生したことを検出すると、前記異常事態検出部が前記異常事態の発生を示す異常事態発生信号を前記総合管理部に送信し、
前記総合管理部が、前記異常事態発生信号を受信すると、前記墓石が前記参拝者には見ることができないように前記カバー手段により前記墓石を遮蔽し、
前記総合管理部が、前記納骨箱の前面に表記されている情報を前記ディスプレイに表示させ、
参拝者が前記緊急用納骨箱の前記ディスプレイを見ることができるように、前記緊急用納骨箱を前記墓石の前記開口に配置し、
その後、前記カバー手段による遮蔽を解除する、
ように構成されている、自動搬送式納骨システム。
【請求項２】
前記墓石が、第二のディスプレイを備える、請求項１に記載の自動搬送式納骨システム。
【請求項３】
前記第二のディスプレイには、前記故人または前記亡くなったペットの遺影、戒名、享年、生前の動画・音声の少なくとも一つが表示・再生される、請求項２に記載の自動搬送式納骨システム。
【請求項４】
前記カバー手段が電動扉である、請求項１−３の何れか１項に記載の自動搬送式納骨システム。
【請求項５】
前記カバー手段が機能性液晶スクリーンである、請求項１−４の何れか１項に記載の自動搬送式納骨システム。
【請求項６】
前記納骨箱および／または前記緊急用納骨箱が金属により形成されている、請求項１−５の何れか１項に記載の自動搬送式納骨システム。
【請求項７】
前記納骨箱および／または前記緊急用納骨箱がアルミニウムにより形成されている、請求項６に記載の自動搬送式納骨システム。
【請求項８】
前記緊急用納骨箱が、前記墓石の近傍に配置されていて、前記総合管理部からの命令信号により、電動で所定の位置に移動かつ配置される、請求項１−７の何れか１項に記載の自動搬送式納骨システム。
【請求項９】
前記参拝ブースが複数設置されている、請求項１−８の何れか１項に記載の自動搬送式納骨システム。
【発明の詳細な説明】
【技術分野】
【０００１】
本発明は、搬送機構に発生した異常事態に対処することが出来る自動搬送式納骨システムに関する。
【背景技術】
【０００２】
近年、大都市を中心に、墓地用地の確保が困難となり、墓不足が社会問題となっている。このような問題を解決するために、多数の納骨箱を格納棚等に一括して格納し、自動搬送機構を使用して所望の納骨箱を参拝者が参拝する参拝ブースに搬送する自動搬送式納骨堂が利用されている。この自動搬送式納骨堂によれば、多数の納骨箱が、立体的に配設された収納場所に収納されているので、大都市などの用地確保が困難な場所においても、効率的に多数の納骨箱を保管することが出来る。また、参拝者は、室内に設置されている参拝ブースにおいて、通常の平面墓地に参拝する感覚で参拝を行うことが出来る。そして、多くの参拝者が交互にこの参拝ブースを使用することが可能であるので、お彼岸などの混雑時においても、多くの参拝を効率的に処理することが出来る。
【０００３】
引用文献１に示される納骨自動参拝システムにおいては、参拝者が檀家カードを参拝受付機に読取らせると、その檀家カードのＩＤコードに対応する納骨箱が、納骨搬送機構部により、自動的に集合壇の集合箱から取出され、所定の法要殿の貫通穴の納骨置台に搬送される。この納骨搬送機構部は、集合壇と、複数の搬送機と、複数の垂直リフター等から構成されている。そして、参拝者が参拝する法要殿近傍に設けられている参拝要求機に、受付けられた檀家カードを読取らせると、電動開塞体が貫通口の塞ぎを解除することにより、参拝しようとする故人の納骨箱が出現し、参拝者は法要殿で故人の納骨箱に参拝する。
【０００４】
特許文献２の納骨管理装置には、図６に開示されるような参拝ブースが室内に設けられている。この参拝ブースには、戸外の通常の平面墓に似せて、墓石、香炉台、花立等が、設置されている。さらに、投影機により郊外の風景が投影され、かつ参拝者は墓石等に水をかけることができるので、参拝者は、戸外の通常の平面墓にいる様な雰囲気で参拝を行うことが出来る。また、参拝ブースには、ソファセット等が備えられているので、参拝者は、故人のお骨が参拝ブースの墓石に搬送されるまでここで待機する、または他の参拝者と懇談することが出来る。
【０００５】
この納骨管理装置においても、参拝者がコード番号をＣＰＵに知らせると、ＣＰＵは、このコード番号に対応した指令をリフトに発する。リフトは電動その他の方式による移動手段を備え、ＣＰＵからの指令に基づいて該当するラックの箇所に近づき、ラックから所定の納骨箱を抜き出す。この抜き出された納骨箱は、コンベアーによって、参拝者が待機する参拝ブースまで運ばれる。そして、この運ばれた納骨箱は、墓石本体の下部に設けられた扉から収納部の内部に収納される。同時に、墓石本体に取付けられているプログラム再生機器と映像表示機器により、コード番号に対応した故人の写真や生前のＶＴＲ等が表示される。参拝者は、映像表示機器に前面に設けられた墓石本体の窓部を通してこれらの写真・映像を見ながら、戸外における通常の墓参りと同様な参拝を行うことが出来る。
【先行技術文献】
【特許文献】
【０００６】
【特許文献１】特開平９−１５８５４０号公報
【特許文献２】特許第３０８２１２８号公報
【発明の概要】
【発明が解決しようとする課題】
【０００７】
特許文献１の納骨自動参拝システムおよび特許文献２の納骨管理装置に示される自動搬送式納骨堂では、参拝者が、参拝ブース内に入り、墓石の横に設けられている参拝要求機等にＩＤカードのコード番号を認識させると、リフトおよびコンベアー等からなる納骨搬送機構部が、そのコード番号に対応する故人のお骨が収納されている納骨箱を、収納箱ラックから取出す。取出された納骨箱は、納骨搬送機構部により搬送され、参拝ブース内の墓石本体の下部に設けられた収納部内に運び込まれる。納骨箱の前面には「〇〇家の墓」などが記載されているので、納骨箱が所定の位置に置かれると、参拝者は、納骨箱の前面の「〇〇家の墓」を見ることが出来る。納骨箱が所定の位置に置かれると、墓石に設けられている映像表示手段が、故人の遺影・戒名・享年、故人の生前の声・動画、読経の声等を再生する。参拝ブースにおいてこれらの音声・映像が再生される中、参拝者は、参拝を行う。これが、正常に行われる参拝手順である。正常の参拝手順では、参拝者が参拝要求機等にＩＤカードのコード番号を認識させてから、故人の納骨箱が所定の位置に搬送され、故人に関連する映像・音声が再生されるまで、通常、1分〜2分を必要とする。
【０００８】
リフトおよびコンベアー等からなる納骨搬送機構部に障害が発生して、所望の納骨箱が所定の場所に搬送されてこない場合、自動搬送式納骨堂を管理する管理職員は、その障害の原因を究明するために、納骨搬送機構部内に入って、収納箱ラック、リフト、コンベアー等を点検する。例えば、所望の納骨箱がリフトとコンベアーとの間に滞留していて、リフトとコンベアーが動かなくなっている場合、管理職員は、その納骨箱をその場所から取外して、それを所定の参拝ブースの墓石の所定の場所に運ぶ。その後、所望の納骨箱が所定の場所に置かれたことを参拝者に知らせ、参拝を開始してもらう。このような点検・回復作業には、数時間以上、場合によっては１日を要する事がある。この間、参拝者は、参拝ブース等に待機して、参拝手順が開始されるのを待たねばならない。お彼岸、特別な法要等で、何十人もの参拝者が参列している場合、何十人もの参拝者を数時間以上も待機させておくことは、自動搬送式納骨堂の運営者には、極めて深刻な問題となっている。本発明の目的は、システムに異常事態が発生しても、参列者を長時間待たせることなく参拝を行うことを可能とする自動搬送式納骨システムを提供することである。
【課題を解決するための手段】
【０００９】
本発明の自動搬送式納骨システムは、参拝者が参拝する墓石が設けられている参拝ブース、故人または亡くなったペットについての情報を入力するための参拝受付機、前記故人または前記亡くなったペットの遺骨を収納する納骨箱、前記納骨箱を格納する納骨箱格納部、前記参拝受付機により入力された前記故人または前記亡くなったペットの前記納骨箱を、前記納骨箱格納部から前記墓石まで搬送する納骨箱自動搬送機構、システムの動作を管理する総合管理部、前記納骨箱自動搬送機構の異常事態を検出する異常事態検出部、ディスプレイをその前面に備えかつ前記納骨箱と同一形状の緊急用納骨箱、および前記墓石を遮蔽することが可能なカバー手段、を備える自動搬送式納骨システムであって、前記墓石が、前記納骨箱が配置される開口を有し、前記異常事態検出部が前記納骨箱自動搬送機構に異常事態が発生したことを検出すると、前記異常事態検出部が前記異常事態の発生を示す異常事態発生信号を前記総合管理部に送信し、前記総合管理部が、前記異常事態発生信号を受信すると、前記墓石が前記参拝者には見ることができないように前記カバー手段により前記墓石を遮蔽し、前記総合管理部が、前記納骨箱の前面に表記されている情報を前記ディスプレイに表示させ、参拝者が前記緊急用納骨箱の前記ディスプレイを見ることができるように、前記緊急用納骨箱を前記墓石の前記開口に配置し、その後、前記カバー手段による遮蔽を解除する、ように構成されていることにより、上記課題を解決している。
【００１０】
本発明の自動搬送式納骨システムにおいては、参拝者は、参拝ブースで墓石に参拝する。参拝者は、参拝受付機に参拝しようとする故人または亡くなったペットについての情報を入力する。納骨箱には遺骨が収納されていて、納骨箱は、納骨箱格納部に格納されている。納骨箱自動搬送機構は、参拝受付機により入力された故人または亡くなったペットの納骨箱を、納骨箱格納部から墓石まで搬送する。総合管理部は、システムの動作を管理する。異常事態検出部は、納骨箱自動搬送機構に発生する異常事態を検出する。緊急用納骨箱は、その前面にディスプレイを備えかつ納骨箱と同一形状である。カバー手段は、墓石を遮蔽することが出来る。墓石には、納骨箱の前面と同一形状の開口が設けられている。
【００１１】
総合管理部が、異常事態検出部により検出された、納骨箱自動搬送機構の異常を示す異常事態発生信号を受信すると、カバー手段により墓石を遮蔽し、参拝者に墓石が見えないようにする。そして、納骨箱に表記されている情報をディスプレイに表示させ、緊急用納骨箱を、緊急用納骨箱の前面が墓石の開口に一致するように配置し、その後、カバー手段による遮蔽を解除する。
【００１２】
本発明の自動搬送式納骨システムにおいては、前記墓石が、第二のディスプレイを備える、ことができる。
【００１３】
本発明の自動搬送式納骨システムにおいては、前記第二のディスプレイには、前記故人または前記亡くなったペットの遺影、戒名、享年、生前の動画・音声の少なくとも一つが表示・再生させても良い。
【００１４】
本発明の自動搬送式納骨システムにおいては、前記カバー手段が電動扉であっても良い。
【００１５】
本発明の自動搬送式納骨システムにおいては、前記カバー手段が機能性液晶スクリーンであっても良い。
【００１６】
本発明の自動搬送式納骨システムにおいては、前記納骨箱および／または前記緊急用納骨箱が金属により形成されていても良い。
【００１７】
本発明の自動搬送式納骨システムにおいては、前記納骨箱および／または前記緊急用納骨箱がアルミニウムにより形成されていても良い。
【００１８】
本発明の自動搬送式納骨システムにおいては、前記緊急用納骨箱が、前記墓石の近傍に配置されていて、前記総合管理部からの命令信号により、電動で所定の位置に移動かつ配置されても良い。
【００１９】
本発明の自動搬送式納骨システムにおいては、前記参拝ブースが複数設置されていても良い。
【発明の効果】
【００２０】
本発明の自動搬送式納骨システムによると、総合管理部が、異常事態検出部により検出された、納骨箱自動搬送機構の異常を示す異常事態発生信号を受信すると、カバー手段により墓石を遮蔽し、参拝者に墓石が見えないようにする。そして、納骨箱に表記されている情報をディスプレイに表示させ、緊急用納骨箱を、緊急用納骨箱の前面が墓石の開口に一致するように配置し、その後、カバー手段による遮蔽を解除する。このため、自動搬送式納骨システムに異常事態が発生しても、本システムは、即座に緊急用納骨箱を搬送して墓石の開口に配置するので、参拝者が、従来のように異常事態が解消するまで長時間待機する必要が無くなる。また、緊急用納骨箱のディスプレイには本来の納骨箱の前面の状態が表示されているので、参拝者は、緊急用納骨箱に対し違和感を持つことなく参拝をすることができる。さらに、緊急用納骨箱が搬送されて墓石の開口に配置されるまで、墓石はカバー手段により遮蔽されているので、参拝者は、異常事態の発生に気づくことは無い。
【図面の簡単な説明】
【００２１】
【図１】本発明の自動搬送式納骨システムのシステム構成図である。
【図２】本発明の自動搬送式納骨システムに使用される墓石の一例を示す。
【図３】本発明の自動搬送式納骨システムに使用される納骨箱である。
【図４】本発明の自動搬送式納骨システムに使用される緊急用納骨箱である。
【図５】本発明の自動搬送式納骨システムにより納骨箱が、墓石の開口に搬送され、配置されつつある状態を示す。
【図６】電動扉により墓石が遮蔽されているブースと遮蔽されていないブースからなる実施態様１を示す。
【図７】墓石が第二のディスプレイを備える実施態様２を示す。
【図８】機能性液晶スクリーンによる墓石の遮蔽が解除されている実施態様３を示す。
【図９】機能性液晶スクリーンにより墓石が遮蔽されている実施態様３を示す。
【発明を実施するための形態】
【００２２】
本発明の自動搬送式納骨システムは、図１に示されるように、カバー手段を備える墓石１０および参拝受付機を備える参拝ブース１２、総合管理部２６、異常事態検出部２８、納骨箱自動搬送機構２２、緊急用納骨箱１８、および納骨箱１６が格納されている納骨箱格納部２０からなる。
【００２３】
（実施態様１）
参拝ブース１２は、図６、図７に示されるように、戸外の墓における参拝と同様に参拝できる、納骨堂内に設けられた区域である。図６のブース(c)に示されるように、参拝ブース１２の中央には、戸外の通常の墓に似せた墓石本体１０が下台等４０上に配置されていて、墓石１０には、納骨箱１６が配置される開口１１が形成されている。墓石１０の具体的な一例が図２に示されている。墓石１０は、その開口１１に納骨箱１６または緊急用納骨箱１８が正しく配置されたか否かを検知する開口位置検出部を備えている。墓石１０の右横には、操作画面１４とカードリーダ１５からなる参拝受付機が、設けられていて、それらの下部には、ＰＣ本体３０が配置されている。墓石１０は、参拝が行われていない場合には、カバー手段により遮蔽されている。図１に示される実施態様１の自動搬送式納骨システムでは、カバー手段は、電動扉３２である。電動扉３２は、総合管理部２６からの命令信号により開閉される。図６のブース(b)では、電動扉３２が閉じていて、墓石１０がカバー手段により遮蔽されている。本発明の自動搬送式納骨システムにおいては、複数の参拝ブースが設けられている。図６、図７には、(a)、(b)、(c)の３ブースが例示されている。
【００２４】
図３に図示される納骨箱１６は、アルミニウムから形成されていて、一例として、縦３３ｃｍ、横３０ｃｍ、奥行６５ｃｍの寸法を有する。１個の納骨箱１６には、数個の骨壺を収容することができる。図３（Ａ）に図示されるように、納骨箱１６の前面には、「〇〇家」等の通常の墓に見られる文字が記載されている。図３（Ｂ）は、納骨箱１６の側面図である。
【００２５】
納骨箱１６は、通常、納骨箱格納部２０に格納されている。納骨箱格納部２０は、複数の棚を立体的に配置させたもので、本発明の自動搬送式納骨システムにおいては、数千、数万個の納骨箱を格納させることができる。
【００２６】
図４に図示されるように、緊急用納骨箱１８は、その前面に液晶ディスプレイからなるディスプレイ１９を備えている。この点を除き、緊急用納骨箱１８は、納骨箱１６と相違しない。このディスプレイ１９には、総合管理部２６からの信号を受信し、かつそれをディスプレイ１９に表示させる信号処理部が内蔵されている。この緊急用納骨箱１８は、通常、墓石１０の近くに配置されている。図４（Ｂ）は、緊急用納骨箱１８の側面図である。
【００２７】
納骨箱自動搬送機構２２は、納骨箱格納部２０からそこに格納されている納骨箱１６を取出し、それを搬送し、そして墓石１０の開口１１に配置するための機構である。納骨箱自動搬送機構２２は、昇降リフト、ベルトコンベア２４等から構成されている。納骨箱自動搬送機構２２には、総合管理部２６からの信号を受信し、かつそれに基づいて納骨箱自動搬送機構２２を作動させる信号処理部が内蔵されている。
【００２８】
本発明の自動搬送式納骨システムは、異常事態検出部２８を備えている。異常事態検出部２８は、納骨箱１６が納骨箱格納部２０から取出せず宙に浮いている状態または落下してしまった状態、搬送中の納骨箱１６がベルトコンベア上でスタックした状態等を検出する。異常事態検出部２８は、これらの異常事態をＰＣシステム・エラーコードによって検出する。異常事態検出部２８は、検出して異常事態発生信号を総合管理部２６に送信する信号処理部を内蔵している。
【００２９】
総合管理部２６は、各構成部からの信号を受信しかつ各構成部に必要な動作を行わせる信号を送信する。総合管理部２６は、参拝者、故人、納骨箱１６等に関するデータが格納されているサーバを備えている。
【００３０】
次に、実施態様１の自動搬送式納骨システムの動作を説明する。
先ず、参拝者は、納骨堂に到着すると、参拝ブース１２の一つに行く。参拝者は、登録カードの情報をカードリーダ１５により読み込ませ、操作画面１４により、参拝したい故人の情報を入力する。カードリーダ１５により読み込まれた故人の情報信号は、総合管理装部２６に無線で送信される。
【００３１】
総合管理部２６が、参拝者が参拝したい故人の情報に関する信号を受信すると、納骨箱自動搬送機構２２に命令信号を送信する。その命令信号を受信すると、納骨箱自動搬送機構２２は、納骨箱格納部２０からその故人の納骨箱１６を検索し、納骨箱格納部２０からその納骨箱１６を取出し、それを搬送する。図５は、納骨箱１６が、ベルトコンベア２４により墓石１０の開口１１に向かって搬送されつつある状態を示す。納骨箱１６は、その前面１７が、墓石１０の開口１１、つまり、図５における点線部分に来るように配置される。ここまでの間、図６のブース(b)に示されるように、電動扉３２は閉じているので、墓石１０はカバー手段（電動扉３２）により遮蔽されている。
【００３２】
参拝者が参拝したい故人の納骨箱１６が、墓石１０の開口１１に配置されたことを開口位置検出部が検知すると、開口位置検出部は、納骨箱１６が開口１１に配置されたことを示す信号を総合管理部２６に送信する。総合管理部２６は、故人の納骨箱１６が、墓石１０の開口１１に配置されたことを示す信号を受信すると、電動扉３２に電動扉３２を開く命令信号を送信する。電動扉３２が開くと、故人の納骨箱１６が、墓石１０の開口１１に収まった状態が現れる（図６のブース(a)の状態）。この後、参拝者はこの参拝ブース１２で故人を参拝する。これが、本発明の自動搬送式納骨システムの正常動作である。
【００３３】
上記の正常動作に対し、本発明の自動搬送式納骨システムに異常事態が発生した場合の動作を次に説明する。
納骨箱自動搬送機構２２が納骨箱１６を墓石１０に搬送する間に、納骨箱１６が納骨箱格納部２０から取出せず宙に浮いてしまったり、納骨箱１６が納骨箱格納部２０から落下してしまったり、納骨箱１６がベルトコンベア上でスタックしてしまったり等の異常事態が発生すると、異常事態検出部２８は、これを検出して、異常事態が発生したことを示すエラー信号を総合管理部２６に送信する。
【００３４】
総合管理部２６が、異常事態が発生したことを示すエラー信号を受信すると、総合管理部２６は電動扉３２を閉める命令信号を送信し、これにより電動扉３２が閉まる（図６のブース(b)の状態）。総合管理部２６は、異常事態の発生により搬送不能となった納骨箱１６の前面１７上の情報（「○○家」等）を、参拝者、故人、納骨箱１６等に関するデータが格納されている総合管理部２６内のサーバから抽出し、この情報を緊急用納骨箱のディスプレイ１９に送信する。この情報を受信したディスプレイ１９は、納骨箱１６の前面１７上の情報（「○○家」等）をディスプレイ１９に表示する。総合管理部２６は、納骨箱自動搬送機構２２に、墓石１０の近くに配置されている緊急用納骨箱１８を墓石１０の開口１１に搬送させる命令を送信する。
【００３５】
開口位置検出部が、緊急用納骨箱１８が墓石１０の開口１１に正しく配置されたことを検出すると、その旨の信号を総合管理部２６に送信する。総合管理部２６は、緊急用納骨箱１８が墓石１０の開口１１に正しく配置されたことを示す信号を受信すると、電動扉３２を開く命令信号を電動扉３２に送信する。電動扉３２が開くと、緊急用納骨箱１８が、墓石１０の開口１１に収まった状態が現れる（図６のブース(c)の状態）。
【００３６】
緊急用納骨箱１８のディスプレイ１９には、納骨箱１６の前面１７上の情報（「○○家」等）が表示されているので、参拝者は、本来の納骨箱１６に対する参拝と変わらずに故人を参拝することができる。また、異常事態が発生した場合、搬送不能となった納骨箱１６は放置して、即座に墓石の近くに配置されている緊急用納骨箱１８を墓石１０の開口１１に搬送・配置させるので、異常事態からの復旧時間は極めて短く、参拝者を長時間待機させることはない。
【００３７】
（実施態様２）
実施態様２の自動搬送式納骨システムは、図７に示されるように、実施態様１のそれに第二のディスプレイ３６を加えたものである。第二のディスプレイ３６は、液晶ディスプレイで、墓石１０の上部に設置されている。第二のディスプレイ３６は、総合管理部２６から信号を受信し、これを第二のディスプレイ３６に表示・再生するための信号処理部を備えている。第二のディスプレイ３６は、総合管理部２６のサーバに格納されている故人または亡くなったペットの遺影、戒名、享年、生前の動画または音声等のデータを総合管理部２６から受信し、これらを表示・再生される。これらの情報が表示・再生されることにより、参拝者は、故人への思いをより強くすることができる。  
【００３８】
（実施態様３）
実施態様３の自動搬送式納骨システムは、図８および９に図示されているように、カバー手段が機能性液晶スクリーンである点で、実施態様１および２と相違する。図８に図示されるように、このシステムでは、図の右側に操作画面１４とカードリーダ１５を備える参拝受付機１３が設けられている。図の左側には、下台等４０の上に設けられている墓石１０が配置されている。この墓石１０も墓石の開口１１を備えていて、図８には、墓石の開口１１に納骨箱１６が設置されている状態が図示されている。この墓石１０は、実施態様２の自動搬送式納骨システムと同様に、第二のディスプレイ３６を備えている。この墓石１０の前面には、機能性液晶スクリーン３４が設けられている。機能性液晶スクリーンとは、数十Ｖの電圧を印加すると透明になり、電圧を印加しないと白濁・不透明になるスクリーンである。図８は、総合管理部２６からの命令信号により、機能性液晶スクリーン３４には電圧が印加され、墓石１０の開口１１に配置されている納骨箱１６および第二のディスプレイ３６が見えるようになった状態を示す。
【００３９】
図９は、カバー手段としての機能性液晶スクリーン３４に電圧が印加されていないので、機能性液晶スクリーン３４が白濁・不透明になり、墓石１０の開口１１および第二のディスプレイ３６が見えない状態を示す。図８および９に図示される墓石１０および参拝受付機１３は、図６および図７に図示される参拝ブース１２の各々に設置される。
【００４０】
実施態様１の場合と同様に、実施態様３においても、参拝者が、参拝受付機１３により参拝を希望する故人の受付処理をして、その故人の納骨箱１６が墓石１０の開口１１に搬送・配置されるまでは、機能性液晶スクリーン３４は白濁・不透明に保たれ、墓石１０がカバー手段によって遮断されている。納骨箱１６が納骨箱格納部２０から墓石１０の開口１１に搬送・配置されると、総合管理部２６からの命令信号により、機能性液晶スクリーン３４は透明にされ、カバー手段による墓石１０の遮断は解除される。
【００４１】
実施態様１の場合と同様に、納骨箱１６の搬送に関して異常事態が発生すると、総合管理部２６からの命令信号により、機能性液晶スクリーン３４は白濁・不透明にされ、墓石１０はカバー手段によって遮断される。緊急用納骨箱１８が、墓石１０の開口１１に搬送・配置されると、総合管理部２６からの命令信号により、機能性液晶スクリーン３４は透明にされ、カバー手段による墓石１０の遮断は解除され、参拝者が参拝をすることができる状態となる。
【００４２】
以上の説明では、本発明の自動搬送式納骨システムを、故人を例に説明したが、本発明の自動搬送式納骨システムは、これに限らず、亡くなったペットにも適用できることは言うまでもない。また、各種信号の送受信は、無線で行われる例を説明したが、これを有線で行うことも出来ることは言うまでもない。
【符号の説明】
【００４３】
１０  墓石    
１１  開口
１２  参拝ブース
１４  操作画面
１５  カードリーダ
１６  納骨箱
１７  納骨箱の前面
１８  緊急用納骨箱
１９  ディスプレイ
２０  納骨箱格納部
２２  納骨箱自動搬送機構
２４  ベルトコンベア
２６  総合管理部
２８  異常事態検出部
３０  ＰＣ本体
３２  電動扉
３４  機能性液晶スクリーン
３６  第二のディスプレイ
３８  参拝ブースの内部壁
４０  下台等
【図１】
2018059350.tif 000003
【図２】
2018059350.tif 000004
【図３】
2018059350.tif 000005
【図４】
2018059350.tif 000006
【図５】
2018059350.tif 000007
【図６】
2018059350.tif 000008
【図７】
2018059350.tif 000009
【図８】
2018059350.tif 000010
【図９】
2018059350.tif 000011
【手続補正書】
【提出日】平成28年12月9日(2016.12.9)
【手続補正１】
【補正対象書類名】特許請求の範囲
【補正対象項目名】請求項５
【補正方法】変更
【補正の内容】
【請求項５】
前記カバー手段が機能性液晶スクリーンである、請求項１−３の何れか１項に記載の自動搬送式納骨システム。